(57)【特許請求の範囲】
【請求項１】
洗浄水を貯留するタンク本体と、前記タンク本体の上面に配置され前記タンク本体を覆う蓋部と、前記タンク本体及び前記蓋部を覆うタンクカバーと、を有する便器洗浄タンクであって、
前記蓋部が複数に分割されて形成され、
前記複数に分割された蓋部は、水平方向に並べられて配置され、
前記複数に分割された蓋部は、前記複数に分割された前記蓋部のうちの１つの蓋部により構成され電子部品が固定される第１蓋部と、前記複数に分割された前記蓋部のうちの前記第１蓋部とは異なる第２蓋部と、を有し、
前記第２蓋部は、前記タンク本体から取り外されると、前記タンク本体から分離する便器洗浄タンク。
【請求項２】
前記第１蓋部は、第１係合部を有し、
前記複数に分割された前記蓋部のうちの前記第１蓋部とは異なる第２蓋部は、前記第１係合部に係合する第２係合部を有する請求項１に記載の便器洗浄タンク。
【請求項３】
前記第１蓋部は、線状部材を係止する線状部材係止部を有する請求項１又は２に記載の便器洗浄タンク。
【発明の詳細な説明】
【技術分野】
【０００１】
本発明は、便器洗浄タンクに関する。
【背景技術】
【０００２】
従来、洗浄水を貯留するタンク本体と、タンク本体の上面に配置されタンク本体を覆う蓋部と、タンク本体及び蓋部を覆うタンクカバーと、を有する便器洗浄タンクが知られている（例えば、特許文献１参照）。
【先行技術文献】
【特許文献】
【０００３】
【特許文献１】特開２００２−３７１６１６号公報
【発明の概要】
【発明が解決しようとする課題】
【０００４】
特許文献１に記載の便器洗浄タンクの蓋部は、タンク本体の上面の全てを覆う大きさに形成されるため、サイズが大きくなりやすい。そのため、サイズの大きな蓋部の取り扱いが困難で、タンク本体から蓋部を着脱することが困難である場合があった。
特に、近年、意匠性向上のために、タンクカバーの上部を狭くしたものも存在する。このような場合に、タンクカバーの上部を取り外し可能に構成して、タンクカバーの上部に開口部を設けて、この開口部を介して、便器洗浄タンクの内部のメンテナンスを行うこともある。しかしながら、タンクカバーの上部の開口部から便器洗浄タンクの蓋部を取り出そうとしても、蓋部が開口部よりも大きい場合や略同じ大きさの場合には、蓋部を開口部から取り出すことが困難である。
【０００５】
本発明は、タンク本体と蓋部とを備える便器洗浄タンクにおいて、タンク本体からの蓋部の着脱が容易な便器洗浄タンクを提供することを目的とする。
【課題を解決するための手段】
【０００６】
本発明は、洗浄水を貯留するタンク本体（例えば、後述のタンク本体４１）と、前記タンク本体の上面に配置され前記タンク本体を覆う蓋部（例えば、後述のタンク蓋部４２）と、前記タンク本体及び前記蓋部を覆うタンクカバー（例えば、後述のタンクカバー２０）と、を有する便器洗浄タンク（例えば、後述の便器洗浄タンク４）であって、前記蓋部が複数に分割されて形成される便器洗浄タンクに関する。
【０００７】
また、前記複数に分割された前記蓋部のうちの１つの蓋部により構成され、電子部品が固定される第１蓋部（例えば、後述の第１蓋部４３）を有することが好ましい。
【０００８】
また、前記第１蓋部は、第１係合部（例えば、後述の第１蓋部側係合部４３５）を有し、前記複数に分割された前記蓋部のうちの前記第１蓋部とは異なる第２蓋部（例えば、後述の第２蓋部４４）は、前記第１係合部に係合する第２係合部（例えば、後述の第２蓋部側第１係合部４４６）を有することが好ましい。
【０００９】
また、前記第１蓋部は、線状部材（例えば、後述のモータ用線材１１１、操作紐１１２）を係止する線状部材係止部（例えば、後述の第１線状部材係止部４３６、第２線状部材係止部４３７）を有することが好ましい。
【発明の効果】
【００１０】
本発明によれば、タンク本体と蓋部とを備える便器洗浄タンクにおいて、タンク本体からの蓋部の着脱が容易な便器洗浄タンクを提供することができる。
【図面の簡単な説明】
【００１１】
【図１】本発明の一実施形態に係る便器装置１を示す斜視図である。
【図２】本実施形態に係る便器洗浄タンク４において、タンクカバー２０を取り外した状態を示す斜視図である。
【図３】下部カバー部２２から上部カバー部２１を外した状態で、上方側から視た図である。
【図４】本実施形態に係る便器洗浄タンク４において、タンク本体４１、タンク蓋部４２及びモータ７ａの取り付け状態を示す斜視図である。
【図５】本実施形態に係る便器洗浄タンク４において、モータ７ａを取り付けた状態を示す斜視図である。
【図６】本実施形態に係る便器洗浄タンク４において、モータ７ａの上下方向の位置関係を示す断面図である。
【図７】本実施形態に係る便器洗浄タンク４において、第１蓋部４３と第２蓋部４４との係合状態を示す斜視図である。
【発明を実施するための形態】
【００１２】
以下、本発明の便器装置１の一実施形態について、図面を参照しながら説明する。以下の説明においては、便器装置１の便座（図示せず）に座った人から視た場合の前後の向きを前後方向とする。また、便器装置１の便座（図示せず）に座った人から視た場合の左右の向きを左右方向とする。また、鉛直方向に沿った上下の向きを上下方向とする。
【００１３】
本実施形態の便器装置１は、図１及び図２に示すように、便器洗浄装置１０と、便器２と、便座（図示せず）と、便蓋２ｂと、を備える。便器洗浄装置１０は、便器洗浄タンク４と、ベースプレート３と、補給水吐水機構６と、を備える。
便器洗浄タンク４は、タンクカバー２０と、蓋部としてのタンク蓋部４２と、タンク本体４１と、洗浄駆動ユニット７と、給水部５と、を備える。
【００１４】
便器２は、便器本体２ａと、一対の側部カバー８ｂ，８ｂと、を備える。一対の側部カバー８ｂ，８ｂは、図１に示すように、便器本体２ａの後方の左右方向の両側の側部を塞ぐように形成される。
便座（図示せず）及び便蓋２ｂは、便器本体２ａの上部に、便器本体２ａに対して回動可能に取り付けられる。
【００１５】
ベースプレート３は、便器本体２ａの後方の上面に取り付けられる。ベースプレート３の上方には、タンク本体４１が配置される。ベースプレート３には、補給水吐水機構６が取り付けられている。
【００１６】
補給水吐水機構６は、給水流路部５１（後述）の分岐流路部５１２に接続され、分岐流路部５１２を流通する水を補給水として、ベースプレート３に吐出する。補給水吐水機構６は、補給水吐水部６１と、水量調整操作ダイヤル６２と、を有する。
【００１７】
補給水吐水部６１は、ベースプレート３の内側に向けて補給水を吐出する。水量調整操作ダイヤル６２は、給水流路部５１（後述）の分岐流路部５１２を流通する水の流れを調整可能である。水量調整操作ダイヤル６２は、ベースプレート３の下方に突出するように配置される。
【００１８】
ベースプレート３には、ガイド壁３１が形成される。ガイド壁３１は、ベースプレート３の上面から上方に立ち上がるように形成される。ガイド壁３１は、補給水吐水部６１から吐出される補給水の流れをガイドする。ガイド壁３１の詳細については後述する。
【００１９】
タンクカバー２０は、図１に示すように、タンク本体４１及びタンク蓋部４２を覆うように、タンク本体４１及びタンク蓋部４２に被せられる。タンクカバー２０は、上部カバー部２１と、下部カバー部２２と、を有する。上部カバー部２１及び下部カバー部２２は、例えば、樹脂材料により形成される。なお、上部カバー部２１及び下部カバー部２２を、樹脂材料により形成したが、これに限定されず、陶器で形成してもよい。
【００２０】
上部カバー部２１は、タンクカバー２０の上部を構成し、便器洗浄タンク４の上部を塞ぐように形成される。上部カバー部２１には、手洗い部１８が設けられている。上部カバー部２１は、下部カバー部２２に対して着脱可能に構成される。
下部カバー部２２は、タンクカバー２０の下部を構成する。下部カバー部２２は、筒状に形成され、タンク本体４１の周囲を囲むように形成される。下部カバー部２２は、図１に示すように、上部側が狭くなるように形成され、図３に示すように、上部に上部開口２２ａが形成される。
【００２１】
手洗い部１８は、図１に示すように、タンクカバー２０の上部カバー部２１に設けられている。手洗い部１８は、手洗いボウル部１８ａと、手洗い吐水部１８ｂと、を備える。
【００２２】
手洗いボウル部１８ａは、タンクカバー２０における上部カバー部２１（後述）の一部により構成される。手洗いボウル部１８ａは、手洗い吐水部１８ｂから吐出される手洗い水を受ける。この手洗いボウル部１８ａの底部には、排水口（図示せず）が形成されている。
【００２３】
手洗い吐水部１８ｂは、手洗いボウル部１８ａの背部側の前面から前方に突出するように配置される。この手洗い吐水部１８ｂの先端部は、下方に開口している。
【００２４】
以上の手洗い部１８には、タンク本体４１に供給される洗浄水の一部が、手洗い側流路部５１３（後述）を介して手洗い吐水部１８ｂに供給される。これにより、給水部５の動作によりタンク本体４１に洗浄水が貯留される場合に、この貯留される洗浄水の一部が手洗い吐水部１８ｂから吐出される。
また、手洗い部１８から排出される排水は、手洗い側排水管（図示せず）を介してタンク本体４１に排出される。
【００２５】
タンク本体４１は、ベースプレート３の上方において、便器２の後方かつ上方に配置され、便器本体２ａを洗浄する洗浄水を貯留する。タンク本体４１は、便器洗浄タンク４に内装される。タンク本体４１の上部には、タンク蓋部４２が配置されている。タンク本体４１及びタンク蓋部４２は、タンクカバー２０に覆われている。
【００２６】
タンク本体４１は、洗浄水を貯留する。タンク本体４１は、図２及び図４に示すように、便器洗浄タンク４の左右方向に長く形成される。タンク本体４１は、上面が開口して形成され、底部４１１と、底部４１１の周縁から立ち上がり周囲を囲むように形成される周壁４１２と、を備える。周壁４１２は、タンク本体４１の外壁を構成する。
【００２７】
タンク本体４１の底部４１１には、フラッパー弁（図示せず）により開閉される排水口（図示せず）が形成されている。フラッパー弁を引き上げて排水口を開放することにより、タンク本体４１の内部に貯留された洗浄水が排水口から流出して便器本体２ａに供給され、便器本体２ａが洗浄される。フラッパー弁には、玉鎖（図示せず）を介して洗浄駆動ユニット７に接続されており、例えば、操作ボタンの操作により、洗浄駆動ユニット７が駆動されて、フラッパー弁は、開閉される。
【００２８】
洗浄駆動ユニット７は、便器２の洗浄時に駆動する。洗浄駆動ユニット７は、モータ回転軸部材７ｂを有するモータ７ａ（電子部品）を備える。モータ７ａは、後述するモータ収容部４１４（電子部品収容部）に収容される。
【００２９】
タンク本体４１は、図２及び図４に示すように、タンク本体４１の後端部から前方側に窪むタンク凹部４１３を有する。タンク凹部４１３は、タンク本体４１の後部において、タンク本体４１の外側から内側に窪んで形成され、タンク本体４１の上下方向の全域に亘って連通しており、下方に開口４１０が設けられている。つまり、タンク凹部４１３は、タンク本体４１の外壁の外側において、タンク本体４１を上下方向に貫通して形成される。
【００３０】
タンク凹部４１３は、タンク本体４１の左右方向の中央から一方側（図２及び図４における左側）にずれた位置に形成される。タンク凹部４１３は、第１壁部４１３ａと、第２壁部４１３ｂと、第３壁部４１３ｃと、により構成される。第１壁部４１３ａと、第２壁部４１３ｂと、第３壁部４１３ｃは、周壁４１２の一部を構成する。
【００３１】
第１壁部４１３ａは、タンク凹部４１３におけるタンク本体４１の左右方向の他方側（図２及び図４における右側）に形成され、タンク本体４１の前後方向及び上下方向に沿う方向に延びる。第１壁部４１３ａは、タンク本体４１の左右方向の一方側（図２及び図４における左側）を向く面である。
【００３２】
第２壁部４１３ｂは、タンク凹部４１３におけるタンク本体４１の左右方向の一方側（図２及び図４における左側）に形成され、タンク本体４１の前後方向及び上下方向に沿う方向に延びる。第２壁部４１３ｂは、第１壁部４１３ａよりもタンク本体４１の左右方向の一方側（図２及び図４における左側）において、第１壁部４１３ａに略平行に、第１壁部４１３ａに対向して配置される。第２壁部４１３ｂは、タンク本体４１の左右方向の他方側（図２及び図４における右側）を向く面である。
【００３３】
第３壁部４１３ｃは、タンク凹部４１３におけるタンク本体４１の前方側に形成され、第１壁部４１３ａ及び第２壁部４１３ｂの前方側の端辺を左右方向につないで形成される。第３壁部４１３ｃは、タンク本体４１の前後方向の後方側（図２及び図４における手前側）を向く面であり、タンク本体４１の左右方向及び上下方向に沿う方向に延びる。
【００３４】
第１壁部４１３ａ及び第２壁部４１３ｂは、対向して配置され、タンク本体４１の外壁における対向する一対の対向壁部を構成する。第１壁部４１３ａ及び第２壁部４１３ｂは、図６に示すように、上方から下方に向かうに従って徐々に離れるように僅かに傾斜して形成される。
【００３５】
第１壁部４１３ａ及び第２壁部４１３ｂは、図４〜図６に示すように、モータ７ａ（電子部品）を収容する電子部品収容部としてのモータ収容部４１４を構成する。第１壁部４１３ａ及び第２壁部４１３ｂは、タンク本体４１の外壁である周壁４１２の一部である。モータ収容部４１４には、洗浄駆動ユニット７のモータ７ａが収容される。モータ収容部４１４には、下方に開口４１０が設けられており、モータ収容部４１４は、タンク本体４１の外壁の外側において、タンク本体４１を上下方向に貫通して形成されている。モータ７ａは、後述するタンク蓋部４２の第１蓋部４３に取り付けられた状態で、タンク本体４１の上端において、モータ収容部４１４に収容される。
【００３６】
モータ収容部４１４は、図４に示すように、橋渡部４１５を有する。橋渡部４１５は、タンク凹部４１３の上部におけるタンク本体４１の後方側において、第１壁部４１３ａ及び第２壁部４１３ｂ（一対の対向壁部）を、便器洗浄タンク４の左右方向につないで形成される。モータ７ａは、第１蓋部４３に取り付けられた状態で、前方側がタンク本体４１に支持されると共に、後方側が橋渡部４１５に支持される。
【００３７】
図６に示すように、本実施形態においては、モータ収容部４１４にモータ７ａを収容した状態においては、モータ７ａの下部は、タンク本体４１の外部において、タンク本体４１に貯留された洗浄水の水面よりも下方に位置するように配置される。なお、モータ７ａの下部の位置は、タンク本体４１の外部において、タンク本体４１に貯留された洗浄水の水面よりも上方であってもよい。
【００３８】
モータ収容部４１４（タンク本体４１のタンク凹部４１３）の下方に形成された開口４１０の下方には、図２に示すように、ベースプレート３が配置されている。ベースプレート３には、前述の通り、ガイド壁３１が形成されている。
【００３９】
ガイド壁３１は、図２に示すように、ベースプレート３の左右方向の中央から一方側（図２における左側）にずれた位置において、タンク本体４１のタンク凹部４１３の下方側に配置される。ガイド壁３１は、ベースプレート３の上面から上方に立ち上がるように形成される。ガイド壁３１は、補給水吐水機構６の補給水吐水部６１から吐出される補給水をガイドするように、補給水吐水部６１側の面が凹となるように湾曲して、ベースプレート３の後方側から前方側に向かって、補給水吐水部６１の吐出口の側方の近傍から補給水吐水部６１から離れる側に、円弧状に延びる。
【００４０】
補給水吐水部６１は、モータ収容部４１４を構成する第１壁部４１３ａ（外壁）側に向けて補給水を吐水する。本実施形態においては、補給水吐水部６１から吐出される補給水は、モータ収容部４１４を構成する第１壁部４１３ａ（外壁）側に配置されるガイド壁３１に向けて吐出されて、ガイド壁３１に沿ってガイドされる。
【００４１】
補給水吐水機構６の補給水吐水部６１及びガイド壁３１においては、補給水吐水部６１は、ベースプレート３の内側に向けて補給水を吐出し、ガイド壁３１は、補給水吐水部６１から吐出される補給水の流れをガイドする。そのため、補給水吐水部６１から吐出される補給水は、ベースプレート３の中央前方側に向かうように、モータ収容部４１４を構成する第１壁部４１３ａ（外壁）側に向けて吐出されて、ガイド壁３１に沿ってガイドされる。ガイド壁３１に衝突して上方側に跳ねた補給水は、タンク本体４１のタンク凹部４１３（後述）を構成する第１壁部４１３ａ、第２壁部４１３ｂ及び第３壁部４１３ｃにより、補給水の飛沫がベースプレート３の外部へ飛び跳ねることが抑制される。第１壁部４１３ａ及び第２壁部４１３ｂは、前述の通り、モータ収容部４１４（電子部品収容部）を構成している。
【００４２】
なお、本実施形態では、ベースプレート３にガイド壁３１を設けたが、これに限定されない。ベースプレート３にガイド壁３１を設けずに、補給水吐水部６１が、モータ収容部４１４を構成する第１壁部４１３ａ又は第２壁部４１３ｂに直接的に補給水を吐出するように構成してもよい。この場合においても、モータ収容部４１４を構成する第１壁部４１３ａ及び第２壁部４１３ｂにより、補給水の飛沫がベースプレート３の外部へ飛び跳ねることが抑制される。
【００４３】
給水部５は、図２に示すように、便器洗浄タンク４に備えられる。給水部５は、給水流路部５１を備える。給水部５には、外部の給水源（図示せず）に接続される給水管５０１が接続されている。
【００４４】
給水流路部５１は、主流路部５１１と、分岐流路部５１２と、手洗い側流路部５１３と、を有する。
主流路部５１１は、タンク本体４１の内側を通る。主流路部５１１は、給水部５から給水された洗浄水を、タンク本体４１に供給する。主流路部５１１の下流側端部には、洗浄水吐水部（図示せず）が設けられている。洗浄水吐水部（図示せず）は、タンク本体４１の内部に水を吐出する。
【００４５】
分岐流路部５１２は、主流路部５１１から分岐して、タンク本体４１の外部を通る。分岐流路部５１２は、給水部５から給水された洗浄水を、便器本体２ａに補給する補給水として、タンク本体４１の外部において、ベースプレート３に吐出する。分岐流路部５１２は、下流側の端部において、前述の通り、補給水をベースプレート３に吐出する補給水吐水部６１（吐水部）が設けられている。
【００４６】
手洗い側流路部５１３は、主流路部５１１から分岐して、手洗い部１８に向けて延びる。手洗い側流路部５１３は、下流側の端部において、手洗い吐水部１８ｂに接続される。
【００４７】
また、タンク本体４１は、タンク蓋部４２をタンク本体４１に取り付けるための構造として、図４に示すように、タンク側係合部４５１と、第１タンク側ねじ穴４５２と、第２タンク側ねじ穴４５３と、を有する。
【００４８】
タンク側係合部４５１は、タンク本体４１の周壁４１２における第２蓋部４４が取り付けられる左右方向の他方側（図４における右側）の前方側の上端部に形成される。タンク側係合部４５１には、係合穴が形成される。タンク側係合部４５１には、第２蓋部４４における第２蓋部側第２係合部４４７（後述）が係合される。
第１タンク側ねじ穴４５２は、タンク本体４１の周壁４１２における左右方向の第１蓋部４３が取り付けられる左右方向の一方側（図４における左側）の前方側の上端部に形成される。
第２タンク側ねじ穴４５３は、タンク本体４１の周壁４１２における左右方向の第１蓋部４３が取り付けられる左右方向の一方側（図４における左側）の後方側の橋渡部４１５の上面に形成される。
【００４９】
タンク蓋部４２は、図４に示すように、タンク本体４１の上面に配置され、タンク本体４１の上面を覆う。タンク蓋部４２は、第１蓋部４３と、第２蓋部４４と、を有する。第１蓋部４３及び第２蓋部４４は、タンク蓋部４２が複数に分割されて形成される。第１蓋部４３及び第２蓋部４４は、板状に形成され、タンク本体４１の上面を覆う。
【００５０】
第１蓋部４３及び第２蓋部４４は、第１蓋部４３及び第２蓋部４４が便器洗浄タンク４の左右方向に並べられて配置される。第１蓋部４３及び第２蓋部４４を合わせた大きさは、下部カバー部２２から上部カバー部２１を取り外した場合において、図３に示すように、平面視で、下部カバー部２２の上端部に形成される上部開口２２ａと略同じ大きさ又は僅かに大きく形成される。なお、第１蓋部４３及び第２蓋部４４を合わせた大きさは、平面視で、下部カバー部２２の上端部に形成される上部開口２２ａよりも僅かに小さくてもよい。
【００５１】
第１蓋部４３は、便器洗浄タンク４の左右方向の一方側（図４における左側）において、タンク本体４１の上面に配置され、タンク本体４１の左右方向の一方側（図４における左側）を全て覆う。第１蓋部４３には、洗浄駆動ユニット７のモータ７ａが取り付けられている。
【００５２】
第１蓋部４３は、２つ（複数）に分割された蓋部のうちの１つの蓋部により構成される。第１蓋部４３には、図４及び図５に示すように、モータ７ａが固定される。モータ７ａは、第１蓋部４３に固定された状態で、タンク本体４１のモータ収容部４１４に配置される。
【００５３】
第１蓋部４３は、図４に示すように、モータ配置用開口４３１と、モータ取付ねじ穴４３２ａと、モータ取付貫通穴４３３ａと、タンク本体取付貫通穴４３４と、第１係合部としての第１蓋部側係合部４３５と、線状部材係止部としての第１線状部材係止部４３６と、線状部材係止部としての第２線状部材係止部４３７と、座面４３２，４３３と、を有する。座面４３２，４３３は、第１蓋部４３において、モータ配置用開口４３１を挟んで、タンク本体４１の前後方向に離間して配置される。座面４３２，４３３は、前後方向に延びる溝状の部分の上面で構成される。
【００５４】
モータ配置用開口４３１には、洗浄駆動ユニット７のモータ７ａが配置される。
モータ７ａには、モータ回転軸部材７ｂがモータ７ａを左右方向に貫通して配置されている。モータ７ａには、上部において、一対の取付延出部７１，７２が形成されている。取付延出部７１，７２は、モータ回転軸部材７ｂが延びる方向に直交する方向に沿って、同一直線上に沿って配置され、モータ７ａの前後方向の外側の両方に延出する。モータ７ａの取付延出部７１，７２は、第１蓋部４３におけるモータ配置用開口４３１の両側の枠部分の座面４３２，４３３に掛け渡される。取付延出部７１，７２には、モータ側取付貫通穴７１ａ、７２ａが形成されている。
【００５５】
第１蓋部４３は、モータ７ａが第１蓋部４３に固定された状態で、タンク本体４１に固定される。具体的には、第１蓋部４３の座面４３２，４３３にモータ７ａの取付延出部７１，７２を載置してモータ７ａを第１蓋部４３に取り付けた状態で、モータ７ａが取り付けられた第１蓋部４３をタンク本体４１に取り付ける。この状態で、次のように、第１蓋部４３とタンク本体４１とモータ７ａとは、第１ねじ部材１０１、第２ねじ部材１０２及び第３ねじ部材１０３で固定される。
【００５６】
モータ７ａの一方の取付延出部７１においては、第１ねじ部材１０１がモータ側取付貫通穴７１ａに挿通され、モータ側取付貫通穴７１ａの周縁に第１ねじ部材１０１の頭部が係止された状態で、第１ねじ部材１０１の先端側のねじ部分がモータ取付ねじ穴４３２ａに螺合される。
また、モータ７ａの他方の取付延出部７２においては、第２ねじ部材１０２がモータ側取付貫通穴７２ａ及びモータ取付貫通穴４３３ａに挿通され、モータ側取付貫通穴７２ａの周縁に第２ねじ部材１０２の頭部が係止された状態で、第２ねじ部材１０２の先端側のねじ部分が第２タンク側ねじ穴４５３に螺合される。
また、第１蓋部４３の前方側においては、第３ねじ部材１０３がタンク本体取付貫通穴４３４に挿通され、タンク本体取付貫通穴４３４の周縁に第３ねじ部材１０３の頭部が係止された状態で、第３ねじ部材１０３の先端側のねじ部分が第１タンク側ねじ穴４５２に螺合される。
【００５７】
第１蓋部側係合部４３５（第１係合部）は、図４及び図７に示すように、第１蓋部４３の後方側において第２蓋部４４側の側部に形成される。第１蓋部側係合部４３５は、図７に示すように、第１蓋部４３における第２蓋部４４側の側部の下面から下方に延出する。第１蓋部側係合部４３５は、便器洗浄タンク４の前後方向に沿って延びる。第２蓋部４４に形成された第２蓋部側第１係合部４４６（第２係合部）が第１蓋部側係合部４３５に係合する。
【００５８】
第１線状部材係止部４３６は、図４及び図５に示すように、第１蓋部４３の前方側において、上部に形成される。第１線状部材係止部４３６は、モータ７ａの電力線であるモータ用線材１１１（線状部材）を係止する。モータ用線材１１１は、モータ７ａと基板部（図示せず）とを接続する。
【００５９】
第２線状部材係止部４３７は、図４及び図５に示すように、第１蓋部４３の後方側において、上部に形成される。第２線状部材係止部４３７は、図２に示すように、操作紐１１２（線状部材）を係止する。
【００６０】
操作紐１１２は、操作レバー（図示せず）とモータ回転軸部材７ｂとを接続する。
【００６１】
第２蓋部４４は、便器洗浄タンク４の左右方向の一方側（図４における右側）において、タンク本体４１の上面に配置される。第２蓋部４４は、複数に分割された蓋部のうちの第１蓋部４３とは異なる蓋部である。
【００６２】
第２蓋部４４は、図４に示すように、平面部４４１と、平面部４４１に向かって緩やかに下り傾斜した複数の傾斜部４４２と、導入部４４３と、開口部４４４と、を有する。導入部４４３は、手洗い部から流れた水を、タンク本体４１に導入する。導入部４４３は、筒状部４４３ａと、導入開口４４３ｂと、を有する。
【００６３】
第２蓋部４４は、第２係合部としての第２蓋部側第１係合部４４６と、第２蓋部側第２係合部４４７と、を有する。
【００６４】
第２蓋部側第１係合部４４６は、図４及び図７に示すように、第２蓋部４４の後方において第１蓋部４３側の側部に形成される。第２蓋部側第１係合部４４６は、図７に示すように、第２蓋部４４における第１蓋部４３側の側部において、下方に延出すると共に下端部が外側に突出する。第２蓋部側第１係合部４４６は、第１蓋部４３の第１蓋部側係合部４３５（第１係合部）に係合する。
【００６５】
第２蓋部側第２係合部４４７は、図４に示すように、第２蓋部４４における前方側の端部に形成される。第２蓋部側第２係合部４４７は、第２蓋部４４における前方側の側部において、下方に延出すると共に下端部が外側に突出する。第２蓋部側第２係合部４４７は、タンク本体４１のタンク側係合部４５１の係合穴に係合する。
【００６６】
以上のように構成される便器洗浄タンク４において、モータ７ａ及びタンク蓋部４２（第１蓋部４３及び第２蓋部４４）は、図４を参照して説明すると、次のように、タンク本体４１に取り付けられる。
【００６７】
まず、モータ７ａを第１蓋部４３のモータ配置用開口４３１に配置した状態で、第１蓋部４３をタンク本体４１に取り付ける。具体的には、第１蓋部４３の座面４３２，４３３にモータ７ａの取付延出部７１，７２を載置し且つモータ７ａを第１蓋部４３のモータ配置用開口４３１に配置した状態で、モータ収容部４１４に第１蓋部４３を配置する。そして、第１ねじ部材１０１、第２ねじ部材１０２及び第３ねじ部材１０３により、モータ７ａをタンク本体４１に固定する。なお、モータ収容部４１４に第１蓋部４３を配置する前に、第１ねじ部材１０１で、モータ７ａを第１蓋部４３に固定してもよい。
【００６８】
詳細には、第１ねじ部材１０１をモータ７ａのモータ側取付貫通穴７１ａに挿入することで、モータ側取付貫通穴７１ａの周縁に第１ねじ部材１０１の頭部が係止された状態で、第１ねじ部材１０１の先端側のねじ部分をモータ取付ねじ穴４３２ａに螺合させる。これにより、第１ねじ部材１０１により、モータ７ａの一方側の取付延出部７１を第１蓋部４３に固定する。
【００６９】
また、第２ねじ部材１０２をモータ７ａのモータ側取付貫通穴７２ａ及び第１蓋部４３のモータ取付貫通穴４３３ａに挿入することで、モータ側取付貫通穴７２ａの周縁に第２ねじ部材１０２の頭部が係止された状態で、第２ねじ部材１０２の先端側のねじ部分をタンク本体４１の第２タンク側ねじ穴４５３に螺合させる。これにより、第２ねじ部材１０２により、モータ７ａの他方側の取付延出部７２を第１蓋部４３に固定すると共に、第１蓋部４３の後方側の部分をタンク本体４１に固定する。
【００７０】
また、第３ねじ部材１０３を第１蓋部４３のタンク本体取付貫通穴４３４に挿通することで、タンク本体取付貫通穴４３４の周縁に第３ねじ部材１０３の頭部が係止された状態で、第３ねじ部材１０３の先端側のねじ部分をタンク本体４１の第１タンク側ねじ穴４５２に螺合させる。これにより、第３ねじ部材１０３により、第１蓋部４３の前方側の部分をタンク本体４１に固定する。
【００７１】
また、第２蓋部４４をタンク本体４１に取り付ける。具体的には、第２蓋部４４の第２蓋部側第１係合部４４６を第１蓋部４３の第１蓋部側係合部４３５に係合させると共に、第２蓋部４４の第２蓋部側第２係合部４４７をタンク本体４１のタンク側係合部４５１に係合させる。これにより、第２蓋部４４をタンク本体４１に取り付ける。
【００７２】
第１蓋部４３及び第２蓋部４４をタンク本体４１から取り外す場合には、次のように取り外す。
第２蓋部４４をタンク本体４１から取り外す場合には、第２蓋部４４の第２蓋部側第１係合部４４６と第１蓋部４３の第１蓋部側係合部４３５との係合を外すと共に、第２蓋部４４の第２蓋部側第２係合部４４７とタンク本体４１のタンク側係合部４５１との係合を外す。
また、第１蓋部４３をタンク本体４１から取り外す場合には、第２ねじ部材１０２及び第３ねじ部材１０３を取り外すことで、第１蓋部４３をタンク本体４１から取り外す。
【００７３】
なお、本実施形態においては、第１蓋部４３をタンク本体４１に先に取り付けた後に、第２蓋部４４をタンク本体４１に取り付けたが、これに限定されない。第２蓋部４４をタンク本体４１に先に取り付けた後に、第１蓋部４３をタンク本体４１に取り付けてもよい。
【００７４】
ここで、本実施形態においては、タンク蓋部４２が第１蓋部４３と第２蓋部４４とに分割されているため、タンク蓋部４２の取り扱いが容易である。特に、図３に示すように、本実施形態においては、平面視において、下部カバー部２２の上部開口２２ａは、第１蓋部４３及び第２蓋部４４を合わせた全体の大きさと略同じ大きさ又は小さく形成されている。本実施形態においては、タンク蓋部４２は、第１蓋部４３と第２蓋部４４とに分割されている。そのため、第１蓋部４３又は第２蓋部４４を下部カバー部２２の上部開口２２ａから容易に取り出すことができる。これにより、メンテナンスの時などにおいて、タンク本体４１に対して、第１蓋部４３及び第２蓋部４４の着脱の作業が容易である。
【００７５】
以上説明した本実施形態の便器洗浄タンク４によれば、以下のような効果を奏する。
本実施形態の便器洗浄タンク４は、洗浄水を貯留するタンク本体４１と、タンク本体４１の上面に配置されタンク本体４１を覆うタンク蓋部４２と、タンク本体４１及びタンク蓋部４２を覆うタンクカバー２０と、を有する便器洗浄タンク４であって、タンク蓋部４２が複数に分割されて形成される。そのため、タンク蓋部４２のサイズが小さくなり、タンク本体４１から第１蓋部４３及び第２蓋部４４を着脱することが容易となる。これにより、メンテナンスの時などにおいて、タンク本体４１に対して、第１蓋部４３及び第２蓋部４４の着脱の作業が容易である。
【００７６】
特に、本実施形態においては、第１蓋部４３及び第２蓋部４４を合わせた大きさは、下部カバー部２２から上部カバー部２１を取り外した場合において、図３に示すように、平面視で、下部カバー部２２の上部開口２２ａは、第１蓋部４３及び第２蓋部４４を合わせた全体の大きさと略同じ大きさ又は小さく形成されている。このような場合に、タンク蓋部４２を第１蓋部４３及び第２蓋部４４に分割して小さくすることで、下部カバー部２２の上部開口２２ａから、第１蓋部４３及び第２蓋部４４を容易に取り出すことができる。
【００７７】
また、本実施形態においては、複数に分割された蓋部のうちの１つの第１蓋部４３により構成され、モータ７ａが固定される第１蓋部４３を有する。そのため、モータ７ａをタンク本体４１に取り付ける際に、第１蓋部４３にモータ７ａを固定することができる。これにより、モータ７ａのタンク本体４１への取り付け作業及び取り外し作業が容易である。また、第１蓋部４３を、タンク本体４１の覆うカバーと、モータ７ａの取付部材と、に兼用することができる。これにより、第１蓋部４３をモータ７ａの取付部材として利用できるため、モータ７ａの取付部材を別に準備しなくてもよく、モータ７ａの取付部材に要するコストを低減できる。
【００７８】
また、本実施形態においては、第１蓋部４３とタンク本体４１とは、第２ねじ部材１０２及び第３ねじ部材１０３で固定される。これにより、モータ７ａを第１蓋部４３に固定した状態で、第１蓋部４３をタンク本体４１に固定することで、モータ７ａを簡単にタンク本体４１に取り付けることができる。よって、モータ７ａのタンク本体４１への取り付け作業及びモータ７ａのタンク本体４１からの取り外し作業が容易である。
【００７９】
また、本実施形態においては、第１蓋部４３は、第１蓋部側係合部４３５を有し、第２蓋部４４は、第１蓋部側係合部４３５に係合する第２蓋部側第１係合部４４６を有する。
そのため、第１蓋部４３及び第２蓋部４４がタンク本体４１に取り付けられた状態において、第１蓋部側係合部４３５と第２蓋部側第１係合部４４６とを係合させて、第１蓋部４３と第２蓋部４４とを固定できる。これにより、第１蓋部４３と第２蓋部４４とを固定した状態で、第１蓋部４３と第２蓋部４４とを、タンク本体４１の上面に安定して固定することができる。
【００８０】
また、本実施形態においては、第１蓋部４３は、モータ用線材１１１を係止する第１線状部材係止部４３６を有する。また、第１蓋部４３は、操作紐１１２を係止する第２線状部材係止部４３７を有する。これにより、第１蓋部４３を、タンク本体４１の上面を覆うカバーとして機能させることができると共に、モータ用線材１１１及び操作紐１１２を係止する係止部として機能させることもできる。
【００８１】
以上、本発明の便器洗浄タンク４の好ましい実施形態について説明したが、本発明は、上述した実施形態に制限されるものではなく、適宜変更が可能である。
前記実施形態では、タンク蓋部４２を、第１蓋部４３及び第２蓋部４４の２つに分割して形成したが、これに限定されない。タンク蓋部４２を３つ以上に分割して形成してもよい。
【符号の説明】
【００８２】
１  便器装置
４  便器洗浄タンク
７ａ  モータ（電子部品）
２０  タンクカバー
４１  タンク本体
４２  タンク蓋部（蓋部）
４３  第１蓋部
４４  第２蓋部
１０２  第２ねじ部材（ねじ部材）
１０３  第３ねじ部材（ねじ部材）
１１１  モータ用線材（線状部材）
１１２  操作紐（線状部材）
４３５  第１蓋部側係合部（第１係合部）
４４６  第２蓋部側第１係合部（第２係合部）
４３６  第１線状部材係止部（線状部材係止部）
４３７  第２線状部材係止部（線状部材係止部）
【図１】
0006753668.tif 000002
【図２】
0006753668.tif 000003
【図３】
0006753668.tif 000004
【図４】
0006753668.tif 000005
【図５】
0006753668.tif 000006
【図６】
0006753668.tif 000007
【図７】
0006753668.tif 000008